(57)【要約】【課題】台紙が反り返らず、被包装物が落下する虞がなく、シュリンクフィルム内の被包装物だけが台紙から前方に突出して収納された見た目に美しい状態を維持することが可能であり、かつ、汎用性の高いシュリンクフィルム付き台紙を提供することを課題とする。【解決手段】  台紙の前面に接着部を介して取り付けられた筒状のシュリンクフィルムにより被包装物が保持されるシュリンクフィルム付き台紙であって、前記シュリンクフィルムの筒の内方で、かつ、前記被包装物と前記台紙の間に、中台紙が配置されていて、前記台紙の紙目方向と前記中台紙の紙目方向との間の角度が略直角となっていることを特徴とするシュリンクフィルム付き台紙。【選択図】図２
2017137074.tif 000002
【特許請求の範囲】
【請求項１】
台紙の前面に接着部を介して取り付けられた筒状のシュリンクフィルムにより被包装物が保持されるシュリンクフィルム付き台紙であって、
前記シュリンクフィルムの筒の内方で、かつ、前記被包装物と前記台紙の間に、中台紙が配置されていて、
前記台紙の紙目方向と前記中台紙の紙目方向との間の角度が略直角となっていることを特徴とするシュリンクフィルム付き台紙。
【請求項２】
請求項１に記載のシュリンクフィルム付き台紙であって、
前記台紙の長辺と前記台紙の紙目方向とが略平行となっていることを特徴とするシュリンクフィルム付き台紙。
【請求項３】
請求項１または２に記載のシュリンクフィルム付き台紙であって、
前記中台紙の少なくとも１つの隅部は曲線状になっていることを特徴とするシュリンクフィルム付き台紙。
【請求項４】
請求項１〜３のいずれか１項に記載のシュリンクフィルム付き台紙であって、
前記中台紙は少なくとも１つの折り部を有していて、
前記折り部が前記中台紙の紙目方向と略平行の折り曲げ線からなることを特徴とするシュリンクフィルム付き台紙。
【請求項５】
請求項４に記載のシュリンクフィルム付き台紙であって、
前記折り部は前記中台紙の対向する端部にそれぞれ１つずつ設けられていることを特徴とするシュリンクフィルム付き台紙。
【請求項６】
請求項１〜５のいずれか１項に記載のシュリンクフィルム付き台紙であって、
略矩形に畳まれた状態における前記シュリンクフィルムの上方隅部が、曲線状若しくは直線状に切り取られた角取り整形部を有していることを特徴とするシュリンクフィルム付き台紙。
【請求項７】
請求項１〜６のいずれか１項に記載のシュリンクフィルム付き台紙であって、
前記シュリンクフィルムの長さ方向の略中央部には絵柄印刷部が形成されていることを特徴とするシュリンクフィルム付き台紙。
【請求項８】
請求項１〜７のいずれか１項に記載のシュリンクフィルム付き台紙であって、
前記台紙の前面と前記シュリンクフィルムとの間の前記接着部は、前記中台紙と重なる位置に形成されていることを特徴とするシュリンクフィルム付き台紙。
【請求項９】
請求項８に記載のシュリンクフィルム付き台紙であって、
前記接着部は前記台紙の紙目方向に沿って線状に形成されていることを特徴とするシュリンクフィルム付き台紙。
【請求項１０】
請求項９に記載のシュリンクフィルム付き台紙であって、
前記接着部は前記中台紙の紙目方向に少なくとも２本以上並置形成されていることを特徴とするシュリンクフィルム付き台紙。
【発明の詳細な説明】
【技術分野】
【０００１】
本発明は、熱により収縮するシュリンクフィルムを利用したシュリンクフィルム付き台紙に関する。
【背景技術】
【０００２】
従来、表示やデザインを印刷した台紙とともに商品となる被包装物を購買者から見えるように収納した包装には、熱成形したプラスチックシートに被包装物を収納して台紙で塞ぐブリスター包装や、台紙の上に被包装物を載せて上から加熱したフィルムで直接包装する、スキンパックがある。
【０００３】
また、台紙に接着剤を塗布して筒状のシュリンクフィルムを接着して一体化させ、シュリンクフィルムの筒の中に被包装物を収納し、加熱してシュリンクフィルムを収縮させ、被包装物に被着させた包装がシュリンクフィルム付き台紙として知られている（例えば、特許文献１）。
【０００４】
しかし、特許文献１のようなシュリンクフィルム付き台紙では、断面形状が円形の被包装物をシュリンクフィルム内に収納した場合に、台紙とシュリンクフィルムとの接着領域が円と接する１点を連続させた細線状となるため、接着力が弱く、被包装物がシュリンクフィルムごと台紙から外れて落下してしまう問題があった。
【０００５】
そこで、被包装物を台紙上に強固に保持する手法の１つとして、特許文献２のような形態が考えられてきた。
特許文献２のシュリンクフィルム付き台紙においては、台紙の一部に切り込みを入れて舌状片を形成し、当該舌状片にシュリンクフィルムを挿通してシュリンクフィルムと当該舌状片との間に被包装物を収納してシュリンクフィルムを熱収縮させることにより、シュリンクフィルムを台紙に密着保持することが可能となる。
【０００６】
しかし、特許文献２のようなシュリンクフィルム付き台紙においては、舌状片に対して小さな被包装物を収納する場合には特に、シュリンクフィルムを熱収縮させた際に舌状片自体が被包装物に巻きつくように変形する虞がある。この結果、シュリンクフィルムを台紙に固着するという所望の効果が得られないだけでなく、見た目にも美しくないという問題があった。
【０００７】
また、被包装物を台紙上に強固に保持する別の手法として、特許文献３のような形態も開示されている。
特許文献３のシュリンクフィルム付き台紙においては、シュリンクフィルムの内側であって台紙と被包装物との間にプラスチックトレーを配置した形態となっている。このような形態とすることにより、被包装物の周面が円形であったとしても、プラスチックトレーが配置されていることによりシュリンクフィルムが面で台紙表面にしっかりと固着されるため、正常な展示状態を維持することができる、としている。
【０００８】
しかし、特許文献３のようなシュリンクフィルム付き台紙においては、シュリンクフィルムの内側にプラスチックトレーを配置しているため、熱収縮時にプラスチックトレーの縁でシュリンクフィルムが破損する虞がある。
また、プラスチックトレーの両側縁部を折り曲げてシュリンクフィルムの破損を防止した場合には、プラスチックトレーが立体状に組み立てられることになるため、プラスチックトレーと被包装物との間に空間が生じたり、プラスチックトレーだけが前方に突出したり
して、見た目に美しくないものとなってしまう。そして、見た目の美しさを損なわないようにするためには、プラスチックトレーの大きさ及び折り曲げを被包装物の形状に沿ったものとする必要があり、被包装物毎に専用のプラスチックトレーを用意する必要が生じてしまい汎用性に乏しいものとなってしまう。
【０００９】
また、特許文献１〜３のようなシュリンクフィルム付き台紙のいずれにおいても、台紙の前方に重量のある被包装物が固着するため、シュリンクフィルム付き台紙の台紙上方に設けた吊り下げ孔により吊り下げ展示した場合に、台紙の下方に重力に伴う撓みが生じる結果、台紙が反り返って見た目の美しさを損なうだけでなく、被包装物との固着を弱める原因の１つともなっていた。
【先行技術文献】
【特許文献】
【００１０】
【特許文献１】特開平８−２４４８３２号公報
【特許文献２】実開平６−８５２４７号公報
【特許文献３】特開２０１３−２１６３５３号公報
【発明の概要】
【発明が解決しようとする課題】
【００１１】
本発明は上記のような事情に鑑みてなされたものであり、台紙が反り返らず、被包装物が落下する虞がなく、シュリンクフィルム内の被包装物だけが台紙から前方に突出して収納された見た目に美しい状態を維持することが可能であり、かつ、汎用性の高いシュリンクフィルム付き台紙を提供することを課題とする。
【課題を解決するための手段】
【００１２】
本発明は係る課題に鑑みなされたものであり、本発明のシュリンクフィルム付き台紙は、台紙の前面に接着部を介して取り付けられた筒状のシュリンクフィルムにより被包装物が保持されるシュリンクフィルム付き台紙であって、前記シュリンクフィルムの筒の内方で、かつ、前記被包装物と前記台紙の間に、中台紙が配置されていて、前記台紙の紙目方向と前記中台紙の紙目方向との間の角度が略直角となっていることを特徴とする。
【００１３】
また、本発明のシュリンクフィルム付き台紙は、前記台紙の長辺と前記台紙の紙目方向とが略平行となっていても良い。
【００１４】
また、本発明のシュリンクフィルム付き台紙において、前記中台紙の少なくとも１つの隅部は曲線状になっていても良い。
【００１５】
また、本発明のシュリンクフィルム付き台紙において、前記中台紙は少なくとも１つの折り部を有していて、前記折り部が前記中台紙の紙目方向と略平行の折り曲げ線からなっていても良い。
このとき、前記折り部は前記中台紙の対向する端部にそれぞれ１つずつ設けられていても良い。
【００１６】
また、本発明のシュリンクフィルム付き台紙は、略矩形に畳まれた状態における前記シュリンクフィルムの上方隅部が、曲線状若しくは直線状に切り取られた角取り整形部を有していても良い。
【００１７】
また、本発明のシュリンクフィルム付き台紙は、前記シュリンクフィルムの長さ方向の略中央部に絵柄印刷部が形成されていても良い。
【００１８】
また、本発明のシュリンクフィルム付き台紙において、前記台紙の前面と前記シュリンクフィルムとの間の前記接着部は、前記中台紙と重なる位置に形成されていても良い。
このとき、前記接着部は前記台紙の紙目方向に沿って線状に形成されていても良く、さらに、前記接着部は前記中台紙の紙目方向に少なくとも２本以上並置形成されていても良い。
【発明の効果】
【００１９】
本発明のシュリンクフィルム付き台紙は、台紙の前面に接着部を介して取り付けられた筒状のシュリンクフィルムにより被包装物が保持される構造であって、前記シュリンクフィルムの筒の内方で、かつ、前記被包装物と前記台紙の間に、中台紙が配置されていることにより、前記被包装物の形状に関わらず前記中台紙と前記台紙の間で前記シュリンクフィルムが前記台紙に固着されることになるため、接着面が細線状となることがなく、したがって、被包装物が落下する虞が無い。
また、前記台紙の紙目方向と前記中台紙の紙目方向との間の角度が略直角となっていることにより、それぞれの紙目方向の撓みが低減された前記台紙と前記中台紙が重なると直交する両方向への撓みが防止されることとなる。これにより、台紙の反り返りが防止され、見た目に美しいシュリンクフィルム付き台紙を提供することが可能となる。
また、前記中台紙の反り返りも防止されて前記中台紙が前記被包装物に巻きつく虞もないため、シュリンクフィルム内の被包装物だけが台紙から前方に突出して収納された見た目に美しい状態を維持することが可能となる。
さらには、前記中台紙は前記被包装物の形状に追随する必要がないため、汎用性の高いシュリンクフィルム付き台紙を提供することも可能となる。
【００２０】
また、前記台紙の長辺と前記台紙の紙目方向とが略平行となっていることにより、例えば、縦長の被包装物に対応する縦長台紙の場合、前記台紙の紙目方向が縦方向となる。これにより、前記台紙の縦方向の湾曲が防止される。この結果、前記台紙の下方に重力に伴う撓みが生じたとしても前記台紙が反り返ることは無い。なお、前記中台紙の紙目方向は横方向となり、前記中台紙が前記シュリンクフィルムを介して接しているため、横方向への反り返りも防止される。
これにより、見た目の美しさを損なわず、前記被包装物との固着を弱める虞もない。
【００２１】
また、前記中台紙の少なくとも１つの隅部は曲線状になっていることにより、前記シュリンクフィルムを熱収縮させた際に、前記中台紙の隅部で前記シュリンクフィルムが傷つく虞がなく、見た目の美しさを維持することが可能となる。
【００２２】
また、前記中台紙は少なくとも１つの折り部を有していて、前記折り部が前記中台紙の紙目方向と略平行の折り曲げ線からなることにより、前記折り曲げ線で前記折り部を折り曲げて前記中台紙の湾曲をさらに低減することが可能となる。
なお、折り部が後面になるように折り曲げることにより、前方に前記中台紙が突出することが無いため、見た目の美しさを損なう虞も無い。
【００２３】
このとき、前記折り部は前記中台紙の対向する端部にそれぞれ１つずつ設けられていることにより、例えば前記中台紙の紙目方向が横方向の場合は前記中台紙の上下端に折り部が設けられることになる。このように両端を折り曲げることにより、湾曲を低減するだけでなく、シュリンクフィルムの熱収縮時に最も力のかかる部分を補強する役割も果たすため、所望の効果をより高めることが可能となる。
また、略矩形に畳まれた状態における前記シュリンクフィルムの上方隅部が、曲線状若しくは直線状に切り取られた角取り整形部を有していることにより、前記シュリンクフィルムを熱収縮させた際にも、被包装物上端部においてシュリンクフィルムがツノ状に突出した状態となる虞が無い。これにより、見た目の美しさを向上させるだけでなく、購買者等
が当該シュリンクフィルム付き台紙を手に取った際にツノ状に突出したシュリンクフィルムでケガをする虞もなくなる。
【００２４】
また、前記シュリンクフィルムの長さ方向の略中央部には絵柄印刷部が形成されていることにより、前記絵柄印刷部は収縮しにくいため、前記シュリンクフィルムを熱収縮させた際にも、略中央部の前記シュリンクフィルムが必要以上に引っ張られて皺が寄りすぎることがなく、上下ではしっかりと収縮するため被包装物の保持には支障が出ない。これにより、見た目の美しさをさらに向上させることが可能となる。
【００２５】
また、前記台紙の前面と前記シュリンクフィルムとの間の前記接着部は、前記中台紙と重なる位置に形成されていることにより、前記台紙と前記シュリンクフィルムとの接着を前記中台紙で面として固着することが可能となるため、被包装物が落下する可能性をより低減することが可能となる。
【００２６】
このとき、前記接着部は前記台紙の紙目方向に沿って線状に形成されていることにより、前記中台紙の紙目方向と略直交する線状に前記接着部が形成されるため、前記中台紙の紙目方向と略直交する方向への湾曲も防止することが可能となる。これにより、前記中台紙は紙目方向に対してだけでなく、紙目方向と略直交する方向に対しても湾曲が防止されるため、前記シュリンクフィルムを熱収縮させた際にも前記中台紙が撓む虞がなく、見た目に非常に美しいシュリンクフィルム付き台紙を提供することが可能となる。
【００２７】
このときさらに、前記接着部が前記中台紙の紙目方向に少なくとも２本以上並置形成されていることにより、前記中台紙の紙目方向における複数個所で前記台紙と前記シュリンクフィルムとが接着することとなる。これにより、前記中台紙の紙目方向と略直交する方向に対する湾曲を防止するだけでなく、前記中台紙の紙目方向の湾曲防止を補強することも可能となる。よって、前記台紙及び前記中台紙の湾曲をさらに低減させた見た目により美しいシュリンクフィルム付き台紙を提供することが可能となる。
【図面の簡単な説明】
【００２８】
【図１】本発明のシュリンクフィルム付き台紙の実施形態における台紙と中台紙を模式的に示した説明図である。
【図２】本発明のシュリンクフィルム付き台紙の実施形態を模式的に示した説明図であり、（ａ）は前面から見た図、（ｂ）は右側面から見た図である。
【図３】本発明のシュリンクフィルム付き台紙の実施形態において、被包装物を収納した状態を模式的に示した説明図である。
【図４】本発明のシュリンクフィルム付き台紙の実施形態において、被包装物を収納した状態を模式的に示した説明図であり、（ａ）は小物を収納した状態、（ｂ）は斜めに収納した状態を示す。
【発明を実施するための形態】
【００２９】
以下、本発明を実施するための第１の実施形態につき図１〜３を参照して説明する。
【００３０】
本発明のシュリンクフィルム付き台紙１は、互いの紙目方向Ｂｇ、Ｓｇが直交する台紙２及び中台紙３の２枚のシートを用いる。本実施形態においては、図１に示すように、台紙２の紙目方向Ｂｇは縦方向、中台紙３の紙目方向Ｓｇは横方向となっている。これにより、台紙２は縦方向の湾曲、中台紙３は横方向の湾曲がそれぞれ防止される。
台紙２及び中台紙３の２枚のシートに用いられる紙は、厚紙で腰のあるものであれば、特に限定されない。また表面にアルミ蒸着層のあるアルミ蒸着紙なども使用できる。
【００３１】
台紙２の上方の左右中央部分には、吊り下げ孔２０が設けられている。この吊り下げ孔
２０は、店舗等で商品展示台に設けられたフック等を通して店頭で吊り下げ展示できるようになっている。
【００３２】
また、台紙２の下方の左右中央部分には２本の並列した易切断線２１、２１よりなる切断帯が設けられている。易切断線２１、２１は、台紙２がそれに沿って切れやすくなるものであれば、特に限定されるものではなく、ハーフカット線でもよいが、本実施形態では、貫通した小切れ込みが、未切断部を間において連続して並び易切断線２１、２１を形成し、小切れ込みの形状は、切断方向上流側が、２本の並列した易切断線２１、２１の互いに内方に折れ曲がっている。
【００３３】
中台紙３の大きさは特に限定されないが、中台紙３と台紙２の間でシュリンクフィルム５を台紙２に固着する効果を得るためには、横幅は２本の易切断線２１、２１よりも広い幅を有する必要がある。
【００３４】
中台紙３の形状も特に限定されないが、図１に示すような、隅部を曲線状とした角丸四角形状とすることが好ましい。隅部を曲線状とすることにより、シュリンクフィルム５を熱収縮させた際に、中台紙３の隅部でシュリンクフィルム５が傷つく虞がなく、見た目の美しさを維持することが可能となる。また、横幅を均一にすることにより、湾曲を防止する上で安定した湾曲抑止力を得ることが可能となる。
【００３５】
また、中台紙３には紙目方向Ｓｇと略平行の折り曲げ線からなる折り部（図示せず）を有していても良い。例えば、中台紙３の上下に折り部を有し、中台紙３の紙目方向Ｓｇと略平行の折り曲げ線で当該折り部を中台紙４の後面になるように折り曲げることにより、中台紙３の湾曲をさらに防止することが可能となる。
【００３６】
なお、シュリンクフィルム５の上下端から突出するように、中台紙３の長さを長くすることも可能である。この場合、筒をつぶすようにして略矩形に畳まれた状態のシュリンクフィルム５の上下隅部４箇所に対応する位置の中台紙３にくびれ部を形成することにより、シュリンクフィルム５を熱収縮させた際に当該くびれ部にシュリンクフィルム５の上下隅部が食い込むことにより、中台紙３に対してシュリンクフィルム５をよりしっかりと固定することが可能となる。
また、中台紙３のシュリンクフィルム５の上下端から突出した部分を被包装物６に関連する広告表示部としたり、シュリンクフィルム付き台紙１を開封する際の開封用摘み部としたりすることが可能である。
【００３７】
本発明のシュリンクフィルム付き台紙１は、図２に示すように、台紙２の前面に接着部４を介して取り付けられた筒状のシュリンクフィルム５により被包装物６が保持されており、シュリンクフィルム５の筒の内方で、かつ、被包装物６と台紙２の間に、中台紙３が配置されてなる。
【００３８】
シュリンクフィルム５は、熱で収縮するフィルムであればよく、また、筒が細くなる方向の収縮が、筒が短くなる方向の収縮より大きいフィルムの方が、シュリンク包装を行う際の熱収縮時に被包装物６がシュリンクフィルム５から外れることがないので、本用途には適している。
【００３９】
シュリンクフィルム５の材質としては、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
【００４０】
シュリンクフィルム５は、１枚のフィルムの両側縁が重なるように丸めて重なり合った側縁部分を接着することにより筒状のシュリンクフィルム５とする。
シュリンクフィルム５の形状は特に限定がなく、一般的な長方形フィルムとしても良いが、筒をつぶすようにして略矩形に畳まれた状態におけるシュリンクフィルム５の上方隅部５１（ａ）、５１（ｂ）が、曲線状若しくは直線状に切り取られた角取り整形部を有していることが好ましい。
これは、上方隅部５１（ａ）、５１（ｂ）に角取り整形部を有していることにより、シュリンクフィルム５を熱収縮させた際にも、被包装物６の上端部においてシュリンクフィルム５がツノ状に突出した状態となる虞が無いからである。これにより、見た目の美しさを向上させるだけでなく、購買者等がシュリンクフィルム付き台紙１を手に取った際にツノ状に突出したシュリンクフィルム５でケガをする虞もなくなる。
【００４１】
また、シュリンクフィルム５に絵柄等の印刷を行う場合には、シュリンクフィルム５の長さ方向の略中央部に絵柄印刷部（図示せず）を形成することが好ましい。
これは、絵柄等の印刷を施した部分は収縮しにくいという性質を有するため、シュリンクフィルム５を熱収縮させた際にも、略中央部のシュリンクフィルム５が必要以上に引っ張られて皺が寄りすぎることがなく、一方で上下ではしっかりと収縮するため被包装物６の保持には支障が出ない。これにより、見た目の美しさをさらに向上させることが可能となる。
【００４２】
接着部４に用いる接着剤には、粘着剤を用いても良い。また、ホットメルト接着剤を用いても良い。特に日の当たる店頭などで、高温に曝されることを考慮すると反応型ホットメルト接着剤が好ましく用いることができる。
従来のホットメルト接着剤は、熱可塑性樹脂を成分として、固形のホットメルト接着剤を加熱、融解して塗布し、冷却することにより固化・接着するものであり、加熱溶融させて用いるため、耐熱性の点では限界がある。
反応型ホットメルト接着剤は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られる。
ウレタン樹脂を主成分とした反応型ホットメルト接着剤は、加熱溶融により生成されたウレタンプレポリマーが冷却されると、末端イソシアネート基を残した状態で固化し、冷却された後も、空気中や被着材に含まれる水分と末端イソシアネート基が反応し、高分子化が進み、より耐熱性の高い接着性を得ることができる。ウレタン樹脂を主成分とした反応型ホットメルト接着剤は、塗布後に特に硬化を進めるための処理を必要としないので、好ましく用いることができる。
【００４３】
接着部４を形成する位置は特に限定されないが、台紙２とシュリンクフィルム５との接着を中台紙３で面として固着することを可能とするためには、図２に示すように、中台紙と重なる位置に形成されていることが好ましい。
【００４４】
接着部４の形状や大きさは特に限定されず、台紙２に設けられた易切断線２１、２１に挟まれた領域に形成されていれば良い。本実施形態においては略矩形に形成されているが、波線状になっていても良いし、横幅が不均一な形状としても良い。ただし、中台紙３の紙目方向Ｓｇと略直交する方向に対する湾曲を防止するため、台紙２の紙目方向Ｂｇに沿って線状に形成されることが好ましい。また、この効果をより高めるために、接着部４を中台紙３の紙目方向Ｓｇに少なくとも２本以上並置形成することがさらに好ましい。
【００４５】
次に、本発明のシュリンクフィルム付き台紙１の製造方法について説明する。
【００４６】
シュリンクフィルム５は、幅広で長尺のシュリンクフィルムに必要に応じて絵柄印刷部
を形成し、スリットして、幅方向の両端を重ね合わせて、封筒貼りして封筒貼り部を設け、決められた折径になるように筒状にし、筒をつぶすように折って長尺のまま紙管に巻き取っておく。
【００４７】
台紙２も、必要に応じて印刷を施した多面付けの台紙用紙から、断裁や、抜き工程によって、1枚ずつ切り離された台紙２としておく。このとき、易切断線２１、２１を抜き工程で同時に設けることができる。
【００４８】
次に、台紙２の所定の位置に、接着剤を塗布し、接着部４を設ける。先に、紙管に巻き取られていた長尺の筒状のシュリンクフィルム５を所定の長さに切断し、上方隅部５１（ａ）、５１（ｂ）に角取り整形部を形成する場合は、この段階で切断と同時に形成する。そして、接着部４の接着剤を介して台紙２に接着させ、固定して取り付ける。
【００４９】
その後、シュリンクフィルム５の筒状の中に被包装物６及び中台紙３を挿入した状態で、シュリンクトンネル等を用いて１００℃近辺で加熱し、シュリンクフィルム５を熱収縮させる。これにより、シュリンクフィルム５を被包装物６及び中台紙３に密着させて、被包装物６がシュリンクフィルム付き台紙１で包装された包装体が、図３、４のように出来上がる。
【００５０】
図３、４には、図２に示したシュリンクフィルム付き台紙１と同一の台紙２、中台紙３、接着部４、及びシュリンクフィルム５を用いて被包装物６を包装し、熱収縮した状態を示す。
【００５１】
図３に示すように、略円柱形状の被包装物６（ａ）を包装した場合であっても、互いに紙目方向が略直交する台紙２と中台紙３を用いることにより、中台紙３が湾曲したり、台紙２が反り返ったりすることなく、見た目に美しいシュリンクフィルム付き台紙１ができる。
また、中台紙３の隅部が曲線状であり、かつ、シュリンクフィルム５の上方隅部５１（ａ）、５１（ｂ）に角取り整形部を有していることにより、熱収縮後も被包装物６（ａ）の上端部においてシュリンクフィルム５がツノ状に突出することなく、また、シュリンクフィルム５が傷つくこともない。
【００５２】
図４（ａ）においては、中台紙３に対して小さな被包装物６（ｂ）を使用している。このような被包装物６（ｂ）として、図４（ａ）では例として連射式クリップのクリップ玉を使用している。
図４（ａ）のように、中台紙３に対して小さな被包装物６（ｂ）であっても、図３と同様に、互いに紙目方向が略直交する台紙２と中台紙３を用いることにより、中台紙３が湾曲したり、台紙２が反り返ったりすることなく、見た目に美しいシュリンクフィルム付き台紙１ができる。
また、中台紙３の隅部が曲線状であり、かつ、シュリンクフィルム５の上方隅部５１（ａ）、５１（ｂ）に角取り整形部を有していることにより、熱収縮後も被包装物６（ａ）の上端部においてシュリンクフィルム５がツノ状に突出することなく、また、シュリンクフィルム５が傷つくこともない。
【００５３】
図４（ｂ）においては、細長い被包装物６（ｃ）を中台紙３に対して斜めに配置して包装している。細長い被包装物６（ｃ）の例として、図４（ｂ）では綿棒を使用している。図４（ｂ）のように、中台紙３に対して斜めに被包装物６（ｃ）を配置した場合であっても、図３と同様に、互いに紙目方向が略直交する台紙２と中台紙３を用いることにより、中台紙３が湾曲したり、台紙２が反り返ったりすることなく、見た目に美しいシュリンクフィルム付き台紙１ができる。
また、中台紙３の隅部が曲線状であり、かつ、シュリンクフィルム５の上方隅部５１（ａ）、５１（ｂ）に角取り整形部を有していることにより、熱収縮後も被包装物６（ａ）の上端部においてシュリンクフィルム５がツノ状に突出することなく、また、シュリンクフィルム５が傷つくこともない。
【００５４】
図３、４に示したように、様々な形状の被包装物６であっても、同一の台紙２、中台紙３、接着部４、及びシュリンクフィルム５を用いて、台紙２が反り返らず、被包装物６が落下する虞がなく、シュリンクフィルム５内の被包装物６だけが台紙２から前方に突出して収納された見た目に美しい状態を維持することが可能であり、かつ、汎用性の高いシュリンクフィルム付き台紙１を提供することが可能となる。
【符号の説明】
【００５５】
１・・・シュリンクフィルム付き台紙
２・・・台紙
３・・・中台紙
４・・・接着部
５・・・シュリンクフィルム
６、６（ａ）、６（ｂ）、６（ｃ）・・・被包装物
【図１】
2017137074.tif 000003
【図２】
2017137074.tif 000004
【図３】
2017137074.tif 000005
【図４】
2017137074.tif 000006